(57)【要約】本発明のエスクロー取引取次システム１は、エスクロー代金を預託するエスクロー口座をバイヤに指定させるエスクロー口座指定手段５０と、エスクロー口座へエスクロー代金を送金させる送金指示を、バイヤ指定金融機関１１に行う送金指示手段５１と、エスクロー代金がエスクロー口座に入金されると、エスクロー銀行から入金確認を受信してサプライヤに送信する入金確認送信手段５２と、サプライヤがエスクロー対象商品を納入すると、バイヤからエスクロー対象商品の納品確認を受信する納品確認受信手段５３と、この納品確認を受信すると、エスクロー代金をエスクロー銀行からサプライヤ指定金融機関１０へ支払わせる支払指示を送信する支払指示送信手段５４とを含むことを特徴とする。
2002023419.tif 000002
【特許請求の範囲】
【請求項１】
商品を提供するサプライヤと、商品を購入するバイヤとがコンピュータシステムによりポータルサイトを介して取引を行い、この取引によって発生した商品の受け渡し及び代金の支払いを処理するエスクロー取引の取り次ぎをサーバによって行うエスクロー取引取次方法であって、
前記ポータルサイトの取引によって発生した代金であるエスクロー代金を預託するためのエスクロー口座を前記バイヤに指定させ、このエスクロー口座へ前記エスクロー代金を送金する指示が前記バイヤから入力されると、前記サーバは前記バイヤの指定するバイヤ指定金融機関に前記エスクロー代金を前記エスクロー口座を有するエスクロー銀行へ送金させ、
前記エスクロー代金が前記エスクロー口座に入金されたときには、前記サーバは前記エスクロー銀行から入金確認を受信してこの入金確認を前記サプライヤに送信し、
この入金確認を受信した前記サプライヤによってエスクロー対象商品が前記バイヤに納入されたときには、前記サーバは前記エスクロー銀行に対して前記エスクロー口座に入金されている前記エスクロー代金を、前記サプライヤの指定するサプライヤ指定金融機関へ支払わせることを特徴とするエスクロー取引取次方法。
【請求項２】
商品を提供するサプライヤと、商品を購入するバイヤとがコンピュータシステムによりポータルサイトを介して取引を行い、この取引によって発生した商品の受け渡し及び代金の支払いを処理するエスクロー取引の取り次ぎを行うエスクロー取引取次装置であって、
前記ポータルサイトの取引によって発生した代金であるエスクロー代金を預託するためのエスクロー口座を、前記バイヤに指定させるエスクロー口座指定手段と、
このエスクロー口座指定手段で指定された前記エスクロー口座への送金指示が前記バイヤから入力されたときには、前記エスクロー代金を前記エスクロー口座を有するエスクロー銀行へ送金させるための送金指示を、前記バイヤの指定するバイヤ指定金融機関に対して行う送金指示手段と、
この送金指示手段によって送金指示が行われた前記エスクロー代金が、前記エスクロー口座に入金されたときには、前記エスクロー銀行から入金確認を受信し、この入金確認を前記サプライヤに送信する入金確認送信手段と、
この入金確認送信手段で送信された前記入金確認に基づいて、前記サプライヤが前記バイヤにエスクロー対象商品を納入したときには、前記バイヤから前記エスクロー対象商品の納入を確認するための納品確認を受信する納品確認受信手段と、
この納品確認受信手段で前記納品確認を受信したときには、前記エスクロー銀行に対して前記エスクロー口座に入金されている前記エスクロー代金を、前記サプライヤの指定するサプライヤ指定金融機関へ支払わせるための支払指示を送信する支払指示送信手段とを含むことを特徴とするエスクロー取引取次装置。
【請求項３】
商品を提供するサプライヤと、商品を購入するバイヤとがコンピュータシステムによりポータルサイトを介して取引を行い、この取引によって発生した商品の受け渡し及び代金の支払いを処理するエスクロー取引の取り次ぎを行うエスクロー取引取次プログラムを記録した記録媒体であって、
前記ポータルサイトの取引によって発生した代金であるエスクロー代金を預託するためのエスクロー口座を、前記バイヤに指定させるエスクロー口座指定処理と、
このエスクロー口座指定処理で指定された前記エスクロー口座への送金指示が前記バイヤから入力されたときには、前記エスクロー代金を前記エスクロー口座を有するエスクロー銀行へ送金させるための送金指示を、前記バイヤの指定するバイヤ指定金融機関に対して行う送金指示処理と、
この送金指示処理によって送金指示が行われた前記エスクロー代金が、前記エスクロー口座に入金されたときには、前記エスクロー銀行から入金確認を受信し、この入金確認を前記サプライヤに送信する入金確認送信処理と、
この入金確認送信処理で送信された前記入金確認に基づいて、前記サプライヤが前記バイヤにエスクロー対象商品を納入したときには、前記バイヤから前記エスクロー対象商品の納入を確認するための納品確認を受信する納品確認受信処理と、
この納品確認受信処理で前記納品確認を受信したときには、前記エスクロー銀行に対して前記エスクロー口座に入金されている前記エスクロー代金を、前記サプライヤの指定するサプライヤ指定金融機関へ支払わせるための支払指示を送信する支払指示送信処理とを含むことを特徴とするエスクロー取引取次プログラムを記録した記録媒体。
【請求項４】
商品を提供するサプライヤと取引を行って商品を購入し、コンピュータシステムによりサーバを介してエスクロー取引を行うバイヤのバイヤ端末であって、
前記サプライヤとの取引によって発生した代金であるエスクロー代金を預託するためのエスクロー口座を指定するように前記バイヤに促して指定されたエスクロー口座を前記サーバに送信し、
このエスクロー口座への前記エスクロー代金の送金指示を入力するように前記バイヤに促して入力された送金指示を前記サーバに送信し、
前記サプライヤからエスクロー対象商品が前記バイヤに納入され、前記エスクロー対象商品の納入を確認するための納品確認を前記バイヤが入力したときには、この納品確認を前記サーバへ送信することを特徴とするバイヤ端末。
【請求項５】
バイヤと取引を行って商品を販売し、コンピュータシステムによってサーバを介してエスクロー取引を行うサプライヤのサプライヤ端末であって、
前記バイヤとの取引によって発生したエスクロー代金が、エスクロー代金を預託するためのエスクロー口座に入金されたときには、前記エスクロー口座を有するエスクロー銀行から送信された入金確認を前記サーバを介して受信し、
前記サプライヤの指定するサプライヤ指定金融機関に前記エスクロー代金が入金されたときには、前記サプライヤ指定金融機関から支払い完了通知を受信することを特徴とするサプライヤ端末。
【請求項６】
商品を提供するサプライヤと、商品を購入するバイヤとが取引を行い、この取引によって発生した商品の受け渡し及び代金の支払いを処理するエスクロー取引の取り次ぎをコンピュータシステムによってサーバを介して行うエスクロー取引取次方法であって、
前記バイヤと前記サプライヤとの間の取引によって発生したエスクロー代金を預託するためのエスクロー口座を前記バイヤに指定させ、このエスクロー口座へ前記エスクロー代金を送金する指示が前記バイヤから入力されると、前記サーバは前記バイヤの指定するバイヤ指定金融機関に対して、前記エスクロー代金を前記エスクロー口座へ送金させ、
前記エスクロー代金が前記エスクロー口座に入金されたときには、前記サーバは前記エスクロー口座を有するエスクローファーム指定金融機関から入金確認を受信してこの入金確認を前記サプライヤに送信し、
この入金確認を受信した前記サプライヤによってエスクロー対象商品が前記バイヤに納入されたときには、前記サーバは前記エスクローファーム指定金融機関に対して前記エスクロー代金を、前記サプライヤの指定するサプライヤ指定金融機関へ支払わせることを特徴とするエスクロー取引取次方法。
【請求項７】
商品を提供するサプライヤと、商品を購入するバイヤとが取引を行い、この取引によって発生した商品の受け渡し及び代金の支払いを処理するエスクロー取引の取り次ぎをコンピュータシステムによって行うエスクロー取引取次装置であって、
前記バイヤと前記サプライヤとの間の取引によって発生した代金であるエスクロー代金を預託するためのエスクロー口座を、前記バイヤに指定させるエスクロー口座指定手段と、
このエスクロー口座指定手段で指定された前記エスクロー口座への送金指示が前記バイヤから入力されたときには、前記エスクロー代金を前記エスクロー口座へ送金させるための送金指示を、前記バイヤの指定するバイヤ指定金融機関に対して行う送金指示手段と、
この送金指示手段によって送金指示が行われた前記エスクロー代金が、前記エスクロー口座に入金されたときには、前記エスクロー口座を有するエスクローファーム指定金融機関から入金確認を受信し、この入金確認を前記サプライヤに送信する入金確認送信手段と、
この入金確認送信手段で送信された前記入金確認に基づいて、前記サプライヤが前記バイヤにエスクロー対象商品を納入したときには、前記バイヤから前記エスクロー対象商品の納入を確認するための納品確認を受信する納品確認受信手段と、
この納品確認受信手段で前記納品確認を受信したときには、前記エスクローファーム指定金融機関に対して前記エスクロー口座に入金されている前記エスクロー代金を、前記サプライヤの指定するサプライヤ指定金融機関へ支払わせるための支払指示を送信する支払指示送信手段と
を含むことを特徴とするエスクロー取引取次装置。
【請求項８】
前記エスクロー口座指定手段は、前記エスクロー代金が、前記エスクロー口座を使用してエスクロー業務を行うエスクローファームの預託上限額を越えているときには、複数のエスクローファームで前記エスクロー代金を預託させることを特徴とする請求項７に記載のエスクロー取引取次装置。
【請求項９】
前記エスクロー口座指定手段は、前記エスクロー代金が、前記エスクロー口座を使用してエスクロー業務を行うエスクローファームの預託上限額を越えているときには、前記エスクロー代金以上の預託上限額であるエスクローファームに対して前記エスクロー代金の預託移転を行うことを特徴とする請求項７または８に記載のエスクロー取引取次装置。
【請求項１０】
前記エスクロー対象商品の配送を行う物流会社から、配送状況に関する配送状況情報を受信して、この配送状況情報を前記バイヤ及び前記サプライヤに提供する配送状況提供手段をさらに含むことを特徴とする請求項７、８または９に記載のエスクロー取引取次装置。
【請求項１１】
商品を提供するサプライヤと、商品を購入するバイヤとが取引を行い、この取引によって発生した商品の受け渡し及び代金の支払いを処理するエスクロー取引の取り次ぎをコンピュータシステムによって行うエスクロー取引取次プログラムを記録した記録媒体であって、
前記バイヤと前記サプライヤとの間の取引によって発生した代金であるエスクロー代金を預託するためのエスクロー口座を、前記バイヤに指定させるエスクロー口座指定処理と、
このエスクロー口座指定処理で指定された前記エスクロー口座への送金指示が前記バイヤから入力されたときには、前記エスクロー代金を前記エスクロー口座へ送金させるための送金指示を、前記バイヤの指定するバイヤ指定金融機関に対して行う送金指示処理と、
この送金指示処理によって送金指示が行われた前記エスクロー代金が、前記エスクロー口座に入金されたときには、前記エスクロー口座を有するエスクローファーム指定金融機関から入金確認を受信し、この入金確認を前記サプライヤに送信する入金確認送信処理と、
この入金確認送信処理で送信された前記入金確認に基づいて、前記サプライヤが前記バイヤにエスクロー対象商品を納入したときには、前記バイヤから前記エスクロー対象商品の納入を確認するための納品確認を受信する納品確認受信処理と、
この納品確認受信処理で前記納品確認を受信したときには、前記エスクローファーム指定金融機関に対して前記エスクロー口座に入金されている前記エスクロー代金を、前記サプライヤの指定するサプライヤ指定金融機関へ支払わせるための支払指示を送信する支払指示送信処理と
を含むことを特徴とするエスクロー取引取次プログラムを記録した記録媒体。
【請求項１２】
商品を提供するサプライヤと取引を行って商品を購入し、コンピュータシステムによりサーバを介してエスクロー取引を行うバイヤのバイヤ端末であって、
前記サプライヤとの取引によって発生した代金であるエスクロー代金を預託するためのエスクロー口座を指定するように前記バイヤに促して指定されたエスクロー口座を前記サーバに送信し、
このエスクロー口座への前記エスクロー代金の送金指示を入力するように前記バイヤに促して入力された送金指示を前記サーバに送信し、
前記エスクロー代金が前記エスクロー口座に入金され、前記サーバを介して前記エスクロー代金の入金通知を受信して、この入金通知を前記バイヤが承認する旨の入力をしたときには前記サーバに承認通知を送信し、
前記サプライヤからエスクロー対象商品が前記バイヤに納入され、前記バイヤが前記エスクロー対象商品の予め定められた検収条件を確認して納品確認を入力したときには、この納品確認を前記サーバへ送信することを特徴とするバイヤ端末。
【請求項１３】
バイヤと取引を行って商品を販売し、コンピュータシステムによってサーバを介してエスクロー取引を行うサプライヤのサプライヤ端末であって、
前記バイヤとの取引によって発生したエスクロー代金が、エスクロー代金を預託するためのエスクロー口座に入金されたときには、前記エスクロー口座を有するエスクローファーム指定金融機関から送信された入金通知を前記サーバを介して受信し、
この入金通知を前記サプライヤが承認する旨の入力をしたときには、エスクロー対象商品の出荷指示を、前記エスクロー対象商品を配送する物流会社に送信し、
前記サプライヤの指定するサプライヤ指定金融機関に前記エスクロー代金が入金されたときには、前記サプライヤ指定金融機関から支払い完了通知を受信することを特徴とするサプライヤ端末。
【発明の詳細な説明】
技術分野
本発明は、ポータルサイトにおける取引によって発生した商品の受け渡し及び代金の支払いを処理するエスクロー取引の取り次ぎを行うエスクロー取引取次システムに係り、特にバイヤが複数の金融機関の中からエスクロー銀行を指定することのできるエスクロー取引取次システムに関する。
背景技術
現在では、Ｂ　ｔｏ　Ｂ（Ｂｕｓｉｎｅｓｓ　ｔｏ　Ｂｕｓｉｎｅｓｓ）の企業間取引において、鉄鋼や食品、薬品などのさまざまな商品を取り扱ったポータルサイトが存在し、そのポータルサイトを介して商品の売買取引が行われている。
ところが、このようなインターネット取引において、全く取引をしたことのないバイヤから注文が入った場合にはバイヤの信用が分からないので、サプライヤは商品を発送することができなかった。
一方、バイヤは、取引をしたことのないサプライヤに注文を出す場合にはサプライヤの信用が分からないので、注文の代金を振り込むことができなかった。
このような問題点を解決するために、従来ではエスクロー取引が行われていた。
このエスクロー取引では、まずエスクロー業者がバイヤに対して特定の銀行の特定のエスクロー口座を指定する。そして、バイヤがこのエスクロー口座に代金を預託すると、エスクロー業者がそれを確認してサプライヤに代金が預託されたことを連絡し、この連絡を受けてサプライヤは商品の発送を行う。バイヤは商品を受領するとエスクロー業者に連絡し、この連絡を受けてエスクロー業者はエスクロー口座に預託されている代金をサプライヤに引き渡して、エスクロー取引は終了する。
しかしながら、従来のエスクロー取引では、バイヤがエスクロー銀行を指定することができなかったので、バイヤは取引したことのないエスクロー銀行に代金を預託しなければならないという問題点があった。
本発明は上記事情に鑑みてなされたものであり、その目的は、バイヤが多くの金融機関の中からエスクロー銀行を指定することによって、バイヤの希望するエスクロー銀行に対してエスクロー取引の取り次ぎを行うことのできるエスクロー取引取次システムを提供することにある。
発明の開示
上記目的を達成するために、請求項１に記載の発明であるエスクロー取引取次方法は、商品を提供するサプライヤと、商品を購入するバイヤとがコンピュータシステムによりポータルサイトを介して取引を行い、この取引によって発生した商品の受け渡し及び代金の支払いを処理するエスクロー取引の取り次ぎをサーバによって行うエスクロー取引取次方法であって、前記ポータルサイトの取引によって発生した代金であるエスクロー代金を預託するためのエスクロー口座を前記バイヤに指定させ、このエスクロー口座へ前記エスクロー代金を送金する指示が前記バイヤから入力されると、前記サーバは前記バイヤの指定するバイヤ指定金融機関に前記エスクロー代金を前記エスクロー口座を有するエスクロー銀行へ送金させ、前記エスクロー代金が前記エスクロー口座に入金されたときには、前記サーバは前記エスクロー銀行から入金確認を受信してこの入金確認を前記サプライヤに送信し、この入金確認を受信した前記サプライヤによってエスクロー対象商品が前記バイヤに納入されたときには、前記サーバは前記エスクロー銀行に対して前記エスクロー口座に入金されている前記エスクロー代金を、前記サプライヤの指定するサプライヤ指定金融機関へ支払わせることを特徴とする。
この請求項１の発明によれば、バイヤが多くの金融機関の中からエスクロー銀行を指定することができるので、バイヤの希望するエスクロー銀行に対してエスクロー取引の取り次ぎを行うことができる。
請求項２に記載の発明であるエスクロー取引取次装置は、商品を提供するサプライヤと、商品を購入するバイヤとがコンピュータシステムによりポータルサイトを介して取引を行い、この取引によって発生した商品の受け渡し及び代金の支払いを処理するエスクロー取引の取り次ぎを行うエスクロー取引取次装置であって、前記ポータルサイトの取引によって発生した代金であるエスクロー代金を預託するためのエスクロー口座を、前記バイヤに指定させるエスクロー口座指定手段と、このエスクロー口座指定手段で指定された前記エスクロー口座への送金指示が前記バイヤから入力されたときには、前記エスクロー代金を前記エスクロー口座を有するエスクロー銀行へ送金させるための送金指示を、前記バイヤの指定するバイヤ指定金融機関に対して行う送金指示手段と、この送金指示手段によって送金指示が行われた前記エスクロー代金が、前記エスクロー口座に入金されたときには、前記エスクロー銀行から入金確認を受信し、この入金確認を前記サプライヤに送信する入金確認送信手段と、この入金確認送信手段で送信された前記入金確認に基づいて、前記サプライヤが前記バイヤにエスクロー対象商品を納入したときには、前記バイヤから前記エスクロー対象商品の納入を確認するための納品確認を受信する納品確認受信手段と、この納品確認受信手段で前記納品確認を受信したときには、前記エスクロー銀行に対して前記エスクロー口座に入金されている前記エスクロー代金を、前記サプライヤの指定するサプライヤ指定金融機関へ支払わせるための支払指示を送信する支払指示送信手段とを含むことを特徴とする。
この請求項２の発明によれば、バイヤが多くの金融機関の中からエスクロー銀行を指定することができるので、バイヤの希望するエスクロー銀行に対してエスクロー取引の取り次ぎを行うことができる。
請求項３に記載の発明であるエスクロー取引取次装置におけるエスクロー取引取次プログラムを記録した記録媒体は、商品を提供するサプライヤと、商品を購入するバイヤとがコンピュータシステムによりポータルサイトを介して取引を行い、この取引によって発生した商品の受け渡し及び代金の支払いを処理するエスクロー取引の取り次ぎを行うエスクロー取引取次装置におけるエスクロー取引取次プログラムを記録した記録媒体であって、前記ポータルサイトの取引によって発生した代金であるエスクロー代金を預託するためのエスクロー口座を、前記バイヤに指定させるエスクロー口座指定処理と、このエスクロー口座指定処理で指定された前記エスクロー口座への送金指示が前記バイヤから入力されたときには、前記エスクロー代金を前記エスクロー口座を有するエスクロー銀行へ送金させるための送金指示を、前記バイヤの指定するバイヤ指定金融機関に対して行う送金指示処理と、この送金指示処理によって送金指示が行われた前記エスクロー代金が、前記エスクロー口座に入金されたときには、前記エスクロー銀行から入金確認を受信し、この入金確認を前記サプライヤに送信する入金確認送信処理と、この入金確認送信処理で送信された前記入金確認に基づいて、前記サプライヤが前記バイヤにエスクロー対象商品を納入したときには、前記バイヤから前記エスクロー対象商品の納入を確認するための納品確認を受信する納品確認受信処理と、この納品確認受信処理で前記納品確認を受信したときには、前記エスクロー銀行に対して前記エスクロー口座に入金されている前記エスクロー代金を、前記サプライヤの指定するサプライヤ指定金融機関へ支払わせるための支払指示を送信する支払指示送信処理とを含むことを特徴とする。
この請求項３の発明によれば、バイヤが多くの金融機関の中からエスクロー銀行を指定することができるので、バイヤの希望するエスクロー銀行に対してエスクロー取引の取り次ぎを行うことができる。
請求項４に記載の発明であるバイヤ端末は、商品を提供するサプライヤと取引を行って商品を購入し、コンピュータシステムによりサーバを介してエスクロー取引を行うバイヤのバイヤ端末であって、前記サプライヤとの取引によって発生した代金であるエスクロー代金を預託するためのエスクロー口座を指定するように前記バイヤに促して指定されたエスクロー口座を前記サーバに送信し、このエスクロー口座への前記エスクロー代金の送金指示を入力するように前記バイヤに促して入力された送金指示を前記サーバに送信し、前記サプライヤからエスクロー対象商品が前記バイヤに納入され、前記エスクロー対象商品の納入を確認するための納品確認を前記バイヤが入力したときには、この納品確認を前記サーバへ送信することを特徴とする。
この請求項４の発明によれば、バイヤは多くの金融機関の中からエスクロー銀行を指定することができるので、バイヤの希望するエスクロー銀行に対してエスクロー取引を依頼することができる。
請求項５に記載の発明であるサプライヤ端末は、バイヤと取引を行って商品を販売し、コンピュータシステムによってサーバを介してエスクロー取引を行うサプライヤのサプライヤ端末であって、前記バイヤとの取引によって発生したエスクロー代金が、エスクロー代金を預託するためのエスクロー口座に入金されたときには、前記エスクロー口座を有するエスクロー銀行から送信された入金確認を前記サーバを介して受信し、前記サプライヤの指定するサプライヤ指定金融機関に前記エスクロー代金が入金されたときには、前記サプライヤ指定金融機関から支払い完了通知を受信することを特徴とする。
この請求項５の発明によれば、サプライヤはサーバを介してエスクロー取引を行うことができるので、安心して商品を発送することができる。
請求項６に記載の発明であるエスクロー取引取次方法は、商品を提供するサプライヤと、商品を購入するバイヤとが取引を行い、この取引によって発生した商品の受け渡し及び代金の支払いを処理するエスクロー取引の取り次ぎをコンピュータシステムによってサーバを介して行うエスクロー取引取次方法であって、前記バイヤと前記サプライヤとの間の取引によって発生したエスクロー代金を預託するためのエスクロー口座を前記バイヤに指定させ、このエスクロー口座へ前記エスクロー代金を送金する指示が前記バイヤから入力されると、前記サーバは前記バイヤの指定するバイヤ指定金融機関に対して、前記エスクロー代金を前記エスクロー口座へ送金させ、前記エスクロー代金が前記エスクロー口座に入金されたときには、前記サーバは前記エスクロー口座を有するエスクローファーム指定金融機関から入金確認を受信してこの入金確認を前記サプライヤに送信し、この入金確認を受信した前記サプライヤによってエスクロー対象商品が前記バイヤに納入されたときには、前記サーバは前記エスクローファーム指定金融機関に対して前記エスクロー代金を、前記サプライヤの指定するサプライヤ指定金融機関へ支払わせることを特徴とする。
この請求項６の発明によれば、バイヤが多くの金融機関の中からエスクローファームを指定することができるので、バイヤの希望するエスクローファームに対してエスクロー取引の取り次ぎを行うことができる。
請求項７に記載の発明であるエスクロー取引取次装置は、商品を提供するサプライヤと、商品を購入するバイヤとが取引を行い、この取引によって発生した商品の受け渡し及び代金の支払いを処理するエスクロー取引の取り次ぎをコンピュータシステムによって行うエスクロー取引取次装置であって、前記バイヤと前記サプライヤとの間の取引によって発生した代金であるエスクロー代金を預託するためのエスクロー口座を、前記バイヤに指定させるエスクロー口座指定手段と、このエスクロー口座指定手段で指定された前記エスクロー口座への送金指示が前記バイヤから入力されたときには、前記エスクロー代金を前記エスクロー口座へ送金させるための送金指示を、前記バイヤの指定するバイヤ指定金融機関に対して行う送金指示手段と、この送金指示手段によって送金指示が行われた前記エスクロー代金が、前記エスクロー口座に入金されたときには、前記エスクロー口座を有するエスクローファーム指定金融機関から入金確認を受信し、この入金確認を前記サプライヤに送信する入金確認送信手段と、この入金確認送信手段で送信された前記入金確認に基づいて、前記サプライヤが前記バイヤにエスクロー対象商品を納入したときには、前記バイヤから前記エスクロー対象商品の納入を確認するための納品確認を受信する納品確認受信手段と、この納品確認受信手段で前記納品確認を受信したときには、前記エスクローファーム指定金融機関に対して前記エスクロー口座に入金されている前記エスクロー代金を、前記サプライヤの指定するサプライヤ指定金融機関へ支払わせるための支払指示を送信する支払指示送信手段とを含むことを特徴とする。
この請求項７の発明によれば、バイヤが多くの金融機関の中からエスクローファームを指定することができるので、バイヤの希望するエスクローファームに対してエスクロー取引の取り次ぎを行うことができる。
請求項８に記載の発明であるエスクロー取引取次装置のエスクロー口座指定手段は、前記エスクロー代金が、前記エスクロー口座を使用してエスクロー業務を行うエスクローファームの預託上限額を越えているときには、複数のエスクローファームで前記エスクロー代金を預託させることを特徴とする。
この請求項８の発明によれば、単独のエスクローファームでは限度額を越えてしまうために処理することのできなかったエスクロー取引を処理することが可能になる。
請求項９に記載の発明であるエスクロー取引取次装置のエスクロー口座指定手段は、前記エスクロー代金が、前記エスクロー口座を使用してエスクロー業務を行うエスクローファームの預託上限額を越えているときには、前記エスクロー代金以上の預託上限額であるエスクローファームに対して前記エスクロー代金の預託移転を行うことを特徴とする。
この請求項９の発明によれば、単独のエスクローファームでは限度額を越えてしまうために処理することのできなかったエスクロー取引を処理することが可能になる。
請求項１０に記載の発明であるエスクロー取引取次装置は、前記エスクロー対象商品の配送を行う物流会社から、配送状況に関する配送状況情報を受信して、この配送状況情報を前記バイヤ及び前記サプライヤに提供する配送状況提供手段をさらに含むことを特徴とする。
この請求項１０の発明によれば、バイヤとサプライヤはエスクロー取引取次装置にアクセスすることによって商品の配送状況を確認することができる。
請求項１１に記載の発明であるエスクロー取引取次プログラムを記録した記録媒体は、商品を提供するサプライヤと、商品を購入するバイヤとが取引を行い、この取引によって発生した商品の受け渡し及び代金の支払いを処理するエスクロー取引の取り次ぎをコンピュータシステムによって行うエスクロー取引取次プログラムを記録した記録媒体であって、前記バイヤと前記サプライヤとの間の取引によって発生した代金であるエスクロー代金を預託するためのエスクロー口座を、前記バイヤに指定させるエスクロー口座指定処理と、このエスクロー口座指定処理で指定された前記エスクロー口座への送金指示が前記バイヤから入力されたときには、前記エスクロー代金を前記エスクロー口座へ送金させるための送金指示を、前記バイヤの指定するバイヤ指定金融機関に対して行う送金指示処理と、
この送金指示処理によって送金指示が行われた前記エスクロー代金が、前記エスクロー口座に入金されたときには、前記エスクロー口座を有するエスクローファーム指定金融機関から入金確認を受信し、この入金確認を前記サプライヤに送信する入金確認送信処理と、この入金確認送信処理で送信された前記入金確認に基づいて、前記サプライヤが前記バイヤにエスクロー対象商品を納入したときには、前記バイヤから前記エスクロー対象商品の納入を確認するための納品確認を受信する納品確認受信処理と、この納品確認受信処理で前記納品確認を受信したときには、前記エスクローファーム指定金融機関に対して前記エスクロー口座に入金されている前記エスクロー代金を、前記サプライヤの指定するサプライヤ指定金融機関へ支払わせるための支払指示を送信する支払指示送信処理とを含むことを特徴とする。
この請求項１１の発明によれば、バイヤが多くの金融機関の中からエスクローファームを指定することができるので、バイヤの希望するエスクローファームに対してエスクロー取引の取り次ぎを行うことができる。
請求項１２に記載の発明であるバイヤ端末は、商品を提供するサプライヤと取引を行って商品を購入し、コンピュータシステムによりサーバを介してエスクロー取引を行うバイヤのバイヤ端末であって、前記サプライヤとの取引によって発生した代金であるエスクロー代金を預託するためのエスクロー口座を指定するように前記バイヤに促して指定されたエスクロー口座を前記サーバに送信し、このエスクロー口座への前記エスクロー代金の送金指示を入力するように前記バイヤに促して入力された送金指示を前記サーバに送信し、前記エスクロー代金が前記エスクロー口座に入金され、前記サーバを介して前記エスクロー代金の入金通知を受信して、この入金通知を前記バイヤが承認する旨の入力をしたときには前記サーバに承認通知を送信し、前記サプライヤからエスクロー対象商品が前記バイヤに納入され、前記バイヤが前記エスクロー対象商品の予め定められた検収条件を確認して納品確認を入力したときには、この納品確認を前記サーバへ送信することを特徴とする。
この請求項１２の発明によれば、バイヤが多くの金融機関の中からエスクローファームを指定することができるので、バイヤの希望するエスクローファームに対してエスクロー取引の取り次ぎを行うことができる。
請求項１３に記載の発明であるサプライヤ端末は、バイヤと取引を行って商品を販売し、コンピュータシステムによってサーバを介してエスクロー取引を行うサプライヤのサプライヤ端末であって、前記バイヤとの取引によって発生したエスクロー代金が、エスクロー代金を預託するためのエスクロー口座に入金されたときには、前記エスクロー口座を有するエスクローファーム指定金融機関から送信された入金通知を前記サーバを介して受信し、この入金通知を前記サプライヤが承認する旨の入力をしたときには、エスクロー対象商品の出荷指示を、前記エスクロー対象商品を配送する物流会社に送信し、前記サプライヤの指定するサプライヤ指定金融機関に前記エスクロー代金が入金されたときには、前記サプライヤ指定金融機関から支払い完了通知を受信することを特徴とする。
この請求項１３の発明によれば、サプライヤはサーバを介してエスクロー取引を行うことができるので、安心して商品を発送することができる。
発明を実施するための最良の形態
以下、本発明に係るエスクロー取引取次システムの一実施形態を図面に基づいて説明する。
（第１の実施形態）
１．システム構成
図１に示すように、本実施形態のエスクロー取引取次システム１は、ポータルサイト２にアクセスして商品の購入を行うバイヤ企業のバイヤ端末３と、ポータルサイト２に商品情報を提供するサプライヤ企業のサプライヤ端末４と、サーバとして機能してサプライヤとバイヤとの間で行われた取引によって発生した商品の受け渡し及び代金の支払いを処理するエスクロー取引の取次を行うエスクロー取引取次装置５と、エスクロー代金を預託するためのエスクロー口座を有するエスクロー銀行６Ａ、６Ｂ、・・・、６Ｈと、サプライヤによって予め指定されたサプライヤ指定金融機関１０と、バイヤによって予め指定されたバイヤ指定金融機関１１とから構成されている。
ここで、バイヤ端末３及びサプライヤ端末４とポータルサイト２及びエスクロー取引取次装置５との間は通信網７によって接続され、ポータルサイト２とエスクロー取引取次装置５との間は通信網８によって接続され、エスクロー取引取次装置５と各金融機関６Ａ、６Ｂ、・・・、６Ｈ、１０、１１との間は通信網９によって接続されている。そして、これらの通信網７、８、９はそれぞれインターネットやダイヤルアップ、専用線、ＶＰＮ、無線接続などの通信回線によって構成され、この中でとくに通信網８はＴＣＰ／ＩＰやＳＡＰ　Ｒ３のプロトコルによって接続され、通信網９は全銀プロトコル（全銀協標準通信プロトコル）、あるいは海外送金のときにはＳＷＩＦＴフォーマットによって接続される通信網である。
さらに、エスクロー取引取次装置５は、ポータルサイト２の取引によって発生した代金であるエスクロー代金を預託するためのエスクロー口座を、バイヤに指定させるエスクロー口座指定手段５０と、このエスクロー口座への送金指示がバイヤから入力されたときには、エスクロー代金をエスクローロ口座を有するエスクロー銀行へ送金させるための送金指示を、バイヤ指定金融機関１１に対して行う送金指示手段５１と、この送金指示手段５１によって送金指示が行われたエスクロー代金が、エスクロー口座に入金されたときには、エスクロー銀行から入金確認を受信し、この入金確認をサプライヤに送信する入金確認送信手段５２と、この入金確認に基づいて、サプライヤがバイヤにエスクロー対象商品を納入したときには、バイヤから前記エスクロー対象商品の納入を確認するための納品確認を受信する納品確認受信手段５３と、この納品確認を受信したときには、エスクロー銀行に対してエスクロー口座に入金されているエスクロー代金を、サプライヤ指定金融機関１０へ支払わせるための支払指示を送信する支払指示送信手段５４とを含んでいる。
なお、エスクロー取引取次装置５は、各種の処理を行うためのＣＰＵと、この処理の命令を記憶する記憶手段とを含む通常のコンピュータシステムによって構成されたサーバであって、いわゆるインターネットのプロバイダが管理しており、インターネットを介して図示していないホストコンピュータに接続されている。そして、バイヤ端末３あるいはサプライヤ端末４から通信網７、８を介してアクセスがあると、エスクロー取引取次装置５はバイヤ向け及びサプライヤ向けのホームページを提供し、このホームページには、エスクロー口座の選択やエスクロー口座への入金確認、発注明細などの情報が表示される。
また、エスクロー取引取次装置５は、エスクロー取引取次システム１の会員となったバイヤやサプライヤの会員情報を格納する会員情報データベース５５と、エスクロー取引に必要な情報であるエスクロー情報を格納する。エスクロー情報データベース５６とを含んでいる。
この会員情報データベース５５には、各バイヤ及びサプライヤの会員情報として、会社名、事業署名、担当部署面、郵便番号、住所、担当者名、電話番号、ＦＡＸ番号、指定金融機関名、業種、ポータルＩＤ、ポータル会員ＩＤ、契約ＩＤ、利用者ＩＤなどの情報がバイヤ及びサプライヤ別に格納されている。
また、エスクロー情報データベース５６には、エスクロー情報として、エスクロー番号、バイヤ名、バイヤの契約ＩＤと利用者ＩＤ、サプライヤ名、サプライヤの契約ＩＤと利用者ＩＤ、物品名、品番、数量、単価金額、指定金融機関名、エスクロー銀行名、支払い期限、検収条件などの情報がエスクロー取引毎に格納されている。
また、エスクロー銀行６Ａ、６Ｂ、・・・、６Ｈは、エスクロー代金を預託するためのエスクロー口座を有しており、バイヤ指定金融機関１１からエスクロー代金が送金されて預託され、サプライヤがバイヤにエスクロー対象商品を納入するとサプライヤ指定金融機関１０にエスクロー代金の支払いを行う。
２．動作説明
次に、本実施形態に係るエスクロー取引取次システム１によって行われる各処理を図面に基づいて説明する。
２−１．会員情報登録処理
まず、図２のフローチャートに基づいて本実施形態に係るエスクロー取引取次システム１によるバイヤ及びサプライヤの会員情報登録処理について説明する。
本実施形態のエスクロー取引取次システム１によるエスクロー取引の取次を利用しようとするバイヤは、バイヤ端末３から取引を行うポータルサイト２にアクセスして入会申請を行う（Ｓ２０１）。このとき、バイヤは会社名、事業所名、指定金融機関名などの会員情報を入力する。とくに、指定金融機関の入力は図３に示すような入力画面によって行われ、バイヤ指定金融機関を複数指定することができ、優先順位を指定することもできる。
こうして、会員情報が入力されるとポータルサイト２はポータル会員ＩＤを付与してバイヤ会員登録を行う（Ｓ２０２）。
同様にサプライヤは、サプライヤ端末４からポータルサイト２にアクセスして入会申請を行い（Ｓ２０３）、会社名、事業所名、サプライヤ指定金融機関などの会員情報を入力し、これに基づいて、ポータルサイト２はポータル会員ＩＤを付与してサプライヤ会員登録を行う（Ｓ２０４）。
こうして、会員登録が行われると、ポータルサイト２は会員情報にポータルサイトを特定するためのポータルＩＤを付加してエスクロー取引取次装置５に送信する（Ｓ２０５）。
そして、エスクロー取引取次装置５は、会員情報やポータルＩＤ、ポータル会員ＩＤを受信すると、エスクロー取引取次装置５の会員ＩＤである契約ＩＤと利用者ＩＤとを付与して会員情報を登録し（Ｓ２０６）、会員情報データベース５５に格納する。
そして、登録されると、サプライヤ４、バイヤ３、ポータルサイト２のそれぞれに対して、図４に示すような登録確認画面を提示して会員情報の確認が行われて（Ｓ２０７）登録処理は終了する。
また、指定金融機関の変更や会員情報の変更は、それぞれ図３、図４の前面から行うことができる。
２−２．エスクロー取引取次処理
次に、図５のフローチャートに基づいて本実施形態に係るエスクロー取引取次装置５によるエスクロー取引取次処理について説明する。
まず、サプライヤはサプライヤ端末４からポータルサイト２にアクセスして販売しようとする商品をポータルサイト２のカタログに記入し（Ｓ５０１）、これを受けてポータルサイト２では、この商品をカタログ登録する（Ｓ５０２）。
そして、バイヤがバイヤ端末３からポータルサイト２にアクセスしてカタログを参照し（Ｓ５０３）、購入を希望する商品があるときにはポータルサイト２に対して発注する（Ｓ５０４）。この発注を受けて、ポータルサイト２はその発注情報を受信して登録する（Ｓ５０５）。このとき、ポータルサイト２は図６に示すような選択画面を表示してエスクロー取引にするか、一般の取引にするかをバイヤに選択させ、バイヤがエスクロー取引を選択すると、その情報がポータルサイト２に送信されるとともに、エスクロー取引取次装置５に送信される（Ｓ５０６）。
そして、エスクロー取引取次装置５はエスクロー取引が選択されたことを受信すると、エスクロー番号を付加してエスクロー取引の登録を行い、登録情報をポータルサイト２に返送する（Ｓ５０７）。
そして、ポータルサイト２はバイヤによって入力された発注情報とともに、エスクロー取引が行われることの通知をサプライヤのサプライヤ端末４に送信し（Ｓ５０８）、サプライヤはその発注情報に基づいて受注してエスクロー取引の登録を行う（Ｓ５０９）。
ここで、バイヤはエスクロー取引取次装置５にアクセスすることによって、図７に示すような確認画面から発注した商品を確認することができる（Ｓ５１０）。
そして、エスクロー取引を選択したバイヤは、次にエスクロー口座を保有するエスクロー銀行の選択を図８に示す選択画面から行い、さらに図９に示す指定画面からエスクロー口座を指定してエスクロー取引取次装置５に送信する（Ｓ５１１）。これを受けてエスクロー取引取次装置５ではエスクロー口座の登録を行う（Ｓ５１２）。
こうしてエスクロー口座が登録されると、バイヤはエスクロー代金の送金指示を入力し（Ｓ５１３）、この送金指示を受信したエスクロー取引取次装置５は、バイヤが予め指定しているバイヤ指定金融機関１１に対して、エスクロー金融機関６への送金を指示し（Ｓ５１４）、この送金指示を受けてバイヤ指定金融機関１１はバイヤの口座からエスクロー銀行のエスクロー口座へエスクロー代金の送金を行う（Ｓ５１５）。
ここで、サプライヤはサプライヤ端末４から図１０に示すようなログイン画面に、契約ＩＤと利用者ＩＤとを入力してサプライヤ向けのホームページにアクセスすることによって、エスクロー口座への入金予定、あるいは入金状況を図１１に示すような確認画面から確認することができる（Ｓ５１６）。さらに図１１の確認画面上においてエスクロー番号あるいは発注番号をクリックすることによって、図１２に示すような発注明細を表示させることができる。図１２は、図１１の確認画面上でエスクロー番号「ＥＳＣ００００４」をクリックしたときに表示される発注明細を示している。
こうしてエスクロー代金がエスクロー口座に入金されると、エスクロー銀行６は入金確認をエスクロー取引取次装置５に送信し（Ｓ５１７）、これを受けてエスクロー取引取次装置５はサプライヤに入金確認を送信する（Ｓ５１８）。
この入金確認を受信したサプライヤは、図１１に示す確認画面から発注者や商品、数量を確認して（Ｓ５１９）受注した商品をバイヤに納品する（Ｓ５２０）。　そして、商品の納品されたバイヤは、納品された商品の納品内容を確認して（Ｓ５２１）エスクロー取引取次装置５に納品確認を送信する（Ｓ５２２）。
この納品確認を受信したエスクロー取引取次装置５はエスクロー銀行６に対してエスクロー口座に入金されているエスクロー代金の支払指示を送信し（Ｓ５２３）、エスクロー銀行６はこの支払指示に応じてエスクロー代金をサプライヤが予め指定しているサプライヤ指定金融機関１０に送金する（Ｓ５２４）。
そして、エスクロー代金の送金を受けたサプライヤ指定金融機関１０は、エスクロー取引取次装置５及びサプライヤに支払完了通知を送信し（Ｓ５２５）、サプライヤは図１３に示すような入金確認画面から支払が完了したことを確認して（Ｓ５２６）、エスクロー取引取次装置５によるエスクロー取引の取次処理は終了する。
このように、本実施形態のエスクロー取引取次システム１は、バイヤが多くの金融機関の中からエスクロー銀行を指定することができるので、バイヤは自分の取引銀行などの希望する金融機関に対してエスクロー取引を依頼することができる。
（第２の実施形態）
次に、本発明に係るエスクロー取引取次システムの第２の実施形態を図面に基づいて説明する。なお、図１に示す第１の実施形態と同様の構成要素については図１と同様の番号を付し、詳しい説明は省略する。
１．システム構成
図１４に示すように、本実施形態のエスクロー取引取次システム２０は、ポータルサイト２にアクセスして商品の購入を行うバイヤ企業のバイヤ端末３と、ポータルサイト２に商品情報を提供するサプライヤ企業のサプライヤ端末４と、サーバとして機能してサプライヤとバイヤとの間で行われた取引によって発生した商品の受け渡し及び代金の支払いを処理するエスクロー取引の４取次を行うエスクロー取引取次装置５と、エスクロー業務を行うエスクローファーム１６Ａ、１６Ｂ、・・・、１６Ｈと、エスクロー代金を預託するためのエスクロー口座を有するエスクローファーム指定金融機関１７と、サプライヤによって予め指定されたサプライヤ指定金融機関１０と、バイヤによって予め指定されたバイヤ指定金融機関１１と、エスクロー取引の対象となる商品をサプライヤからバイヤに配送する物流会社１８とから構成されている。そして、バイヤ端末３、サプライヤ端末４、ポータルサイト２、物流会社１８及びエスクロー取引取次装置５の間は通信網７によって接続され、ポータルサイト２とエスクロー取引取次装置５との間は通信網８によって接続され、エスクロー取引取次装置５と各金融機関１６Ａ、１６Ｂ、・・・、１６Ｈ、１０、１１、１７との間は通信網９によって接続されている。
さらに、エスクロー取引取次装置５は、バイヤとサプライヤとの間の取引によって発生した代金であるエスクロー代金を預託するためのエスクロー口座を、バイヤに指定させるエスクロー口座指定手段５０と、このエスクロー口座への送金指示がバイヤから入力されたときには、エスクロー代金をエスクロー口座へ送金させるための送金指示を、バイヤ指定金融機関１１に対して行う送金指示手段５１と、この送金指示が行われたエスクロー代金が、エスクロー口座に入金されたときには、エスクローファーム指定金融機関１７から入金確認を受信し、この入金確認をサプライヤに送信する入金確認送信手段５２と、この入金確認に基づいて、サプライヤがバイヤにエスクロー対象商品を納入したときには、バイヤからエスクロー対象商品の納入を確認するための納品確認を受信する納品確認受信手段５３と、この納品確認を受信したときには、エスクローファーム指定金融機関１７に対してエスクロー口座に入金されているエスクロー代金を、サプライヤ指定金融機関１０へ支払わせるための支払指示を送信する支払指示送信手段５４と、エスクロー対象商品の配送を行う物流会社から、配送状況に関する配送状況情報を受信して、この配送状況情報をバイヤ及びサプライヤに提供する配送状況提供手段５７とを含んでいる。
また、エスクロー取引取次装置５は、エスクロー取引取次システム１の会員となったバイヤやサプライヤの会員情報を格納する会員情報データベース５５と、エスクロー取引に必要な情報であるエスクロー情報を格納するエスクロー情報データベース５６とを含んでおり、とくにエスクロー情報データベース５６には、各エスクローファームの預託上限額や共同預託の登録、預託移転の登録、預託上限額を越えたときの対処方法などが格納されている。
また、エスクローファーム１６Ａ、１６Ｂ、・・・、１６Ｈは、金融機関に用意されたエスクロー取引専用口座を使ってエスクロー業務を行うエスクロー業者であって、銀行などの金融機関の他に銀行の子会社やベンチャー企業などが含まれている。
また、エスクローファーム指定金融機関１７は、エスクロー代金を預託するためのエスクロー口座を有し、エスクローファームによって予め指定された金融機関であり、バイヤ指定金融機関１１からエスクロー代金が送金されて預託され、サプライヤからバイヤにエスクロー対象商品が納入されるとサプライヤ指定金融機関１０にエスクロー代金の支払いを行う。
２．動作説明
次に、第２の実施形態に係るエスクロー取引取次システム２０によって行われる各処理を図面に基づいて説明する。ただし、会員情報登録処理については、第１の実施形態と同様の処理が行われるので、ここでは説明を省略する。
２−１．エスクロー取引取次処理
図１５のフローチャートに基づいて本実施形態に係るエスクロー取引取次装置５によるポータルサイトを介した場合のエスクロー取引の登録処理について説明する。
まず、サプライヤはサプライヤ端末４からポータルサイト２にアクセスして販売しようとする商品をポータルサイト２のカタログに記入し（Ｓ１５０１）、これを受けてポータルサイト２では、この商品をカタログ登録する（Ｓ１５０２）。
そして、バイヤがバイヤ端末３からポータルサイト２にアクセスしてカタログを参照し（Ｓ１９０３）、購入を希望する商品があるときにはポータルサイト２に対して発注する（Ｓ１５０４）。この発注情報を受けて、ポータルサイト２はバイヤに対しては発注番号を発行し、サプライヤに対して受注番号を発行して発注情報を登録するとともに（Ｓ１５０５）、発行した発注番号をバイヤに返送し（Ｓ１５０６）、発行した受注番号をサプライヤに送信する（Ｓ１５０７）。
このとき、ポータルサイト２は図６に示すような選択画面を表示してエスクロー取引にするか、一般の取引にするかをバイヤに選択させ、バイヤがエスクロー取引を選択すると、その情報がポータルサイト２に送信されるとともに、エスクロー取引取次装置５に送信される（Ｓ１５０８）。
そして、エスクロー取引取次装置５はエスクロー取引が選択されたことを受信すると、エスクロー取引の登録を行い（Ｓ１５０９）、図１６に示すエスクローファームの選択画面をバイヤに提供する（Ｓ１５１０）。この図１６に示すように、選択画面からは全国の銀行だけでなく、Ｘ銀行エスクローサービスのような銀行の子会社、ネットベンチャーＡのようなベンチャー企業を選択することができる。
そして、バイヤは、この選択画面から各取引毎に発注番号を指定してエスクローファームの選択を行うが、このときバイヤはエスクローファームを選択するための情報として、地域や手数料、実績などを照会することが可能である。
こうして、エスクローファームが指定されると、次に図９に示す指定画面からエスクロー口座を指定してエスクロー取引取次装置５に送信する（Ｓ１５１１）。
これを受けてエスクロー取引取次装置５では、エスクロー受付番号を発行し、このエスクロー受付番号と発注番号、受注番号とを関連付けてエスクローファームとエスクロー口座の登録を行う（Ｓ１５１２）。
こうしてエスクローファームとエスクロー口座が登録されると、エスクロー取引取次装置５は、エスクロー受付番号を含むエスクロー取引の確認通知を電子メールなどによって、バイヤのバイヤ端末３とサプライヤのサプライヤ端末４に送信し（Ｓ１５１３）、これを受けてサプライヤはエスクロー受付番号を指定してバイヤへエスクロー取引の確認を行って（Ｓ１５１４）、確認できればエスクロー取引の登録処理が終了する。
次に、図１７のフローチャートに基づいて本実施形態に係るエスクロー取引取次装置５によるポータルサイトを介さない場合のエスクロー取引の登録処理について説明する。
バイヤがポータルサイト２を介すことなく直接にサプライヤと取引を行う場合には、まずバイヤはバイヤ端末３から直接にサプライヤのサプライヤ端末４に発注を行う（Ｓ１７０１）。このとき、バイヤはエスクロー取引取次装置５によるエスクロー決済をサプライヤに依頼する。
そして、発注を受けたサプライヤがエスクロー取引取次装置５によるエスクロー決済を承諾するときには、サプライヤは発注情報をエスクロー取引取次装置５に送信し（Ｓ１７０２）、この発注情報を受けて、エスクロー取引取次装置５はバイヤに対しては発注番号を発行し、サプライヤに対して受注番号を発行してエスクロー取引を登録するとともに（Ｓ１７０３）、発行した発注番号をバイヤに返送し（Ｓ１７０４）、発行した受注番号をサプライヤに送信する（Ｓ１７０５）。
こうしてエスクロー取引の登録が行われると、図１６に示すエスクローファームの選択画面がバイヤに提供され（Ｓ１７０６）、バイヤはこの選択画面から各取引毎に発注番号を指定してエスクローファームの選択を行い、さらに図９に示す指定画面からエスクロー口座を指定してエスクロー取引取次装置５に送信する（Ｓ１７０７）。
これを受けてエスクロー取引取次装置５では、エスクロー受付番号を発行し、このエスクロー受付番号と発注番号、受注番号とを関連付けてエスクローファームとエスクロー口座の登録を行う（Ｓ１７０８）。
こうしてエスクローファームとエスクロー口座が登録されると、エスクロー取引取次装置５は、エスクロー受付番号を含むエスクロー取引の確認通知を電子メールなどによって、バイヤのバイヤ端末３とサプライヤのサプライヤ端末４に送信し（Ｓ１７０９）、これを受けてサプライヤはエスクロー受付番号を指定してバイヤへエスクロー取引の確認を行って（Ｓ１７１０）、確認できればエスクロー取引の登録処理が終了する。
次に、上述した図１５のステップＳ１５１１、図１７のステップＳ１７０７でエスクローファームが選択されたときに、バイヤからエスクローファームの預託上限額を越える預託依頼があったときの処理を、図１８及び図１９のフローチャートに基づいて説明する。
まず、図１８のフローチャートに基づいて、複数のエスクローファームによって共同で預託を受ける場合の処理について説明する。
バイヤが図１６に示したエスクローファームの選択画面からエスクローファームの選択を行って預託依頼額を入力すると（Ｓ１８０１）、エスクロー取引取次装置５はエスクロー情報データベース５６を検索して預託依頼額が依頼されたエスクローファームの預託上限額を越えているか否かを判断し、預託上限額を越えているときには、エスクロー取引取次装置５は共同預託依頼通知をエスクローファームに送信する（Ｓ１８０２）。このとき、すべてのエスクローファーム１６Ａ、１６Ｂ、・・・１６Ｈに対して共同預託依頼通知を送信してもよいし、予め共同預託に応じる用意のあるエスクローファームを登録しておき、その登録されたエスクローファームだけに共同預託依頼通知を送信してもよい。
例えば、図１８ではバイヤがＸ銀行エスクローサービスに５０００万円の商品のエスクロー取引の申し込みを行ったが、Ｘ銀行エスクローサービスの預託上限額が２５００万円までだったので、エスクロー取引取次装置５は、預託依頼のあったＸ銀行エスクローサービスの他に、予め共同預託の登録がされているＷ銀行エスクローサービスとＶ銀行エスクローサービスに対して共同預託依頼通知を送信している。
これを受けて、Ｘ銀行エスクローサービスは預託上限額の２５００万円で共同預託に応じる旨の共同預託応諾通知を返送し（Ｓ１８０３）、Ｗ銀行エスクローサービスは１５００万円の共同預託に応じて共同預託応諾通知を返送し（Ｓ１８０４）、Ｖ銀行エスクローサービスも１０００万円の共同預託に応じて共同預託応諾通知を返送する（Ｓ１８０５）。
こうして、複数のエスクローファームが指定されると、エスクロー取引取次装置５は、エスクロー受付番号を発行し、このエスクロー受付番号と発注番号、受注番号とを関連付けてエスクローファームとエスクロー口座の登録を行う（Ｓ１８０６）。
こうしてエスクローファームとエスクロー口座が登録されると、エスクロー取引取次装置５は、エスクロー受付番号を含むエスクロー取引の確認通知を電子メールなどによって、バイヤのバイヤ端末３とサプライヤのサプライヤ端末４に送信し（Ｓ１８０７）、これを受けてサプライヤはエスクロー受付番号を指定してバイヤへエスクロー取引の確認を行って（Ｓ１８０８）、確認できればエスクロー取引の登録処理が終了する。
このように、複数のエスクローファームで共同で預託することによって、単独のエスクローファームでは限度額を越えてしまうために処理することのできなかったエスクロー取引を処理することが可能になった。
次に、図１９のフローチャートに基づいて、小規模のエスクローファームから大規模のエスクローファームへ預託金額を移転する場合の処理について説明する。
バイヤが図１６に示したエスクローファームの選択画面からエスクローファームの選択を行って預託依頼額を入力すると（Ｓ１９０１）、エスクロー取引取次装置５はエスクロー情報データベース５６を検索して預託依頼額が依頼されたエスクローファームの預託上限額を越えているか否かを判断し、預託上限額を越えているときには、エスクロー取引取次装置５は預託移転依頼通知をエスクローファームに送信する（Ｓ１９０２）。このとき、すべてのエスクローファーム１６Ａ、１６Ｂ、・・・１６Ｈに対して預託移転依頼通知を送信してもよいし、予め預託の移転に応じる用意のあるエスクローファームを登録しておき、その登録されたエスクローファームだけに預託移転依頼通知を送信してもよい。
例えば、図１９ではバイヤが小規模のベンチャー企業であるネットベンチャーＡに５０００万円の商品のエスクロー取引の申し込みを行ったが、ネットベンチャーＡの預託上限額が１０００万円までだったので、エスクロー取引取次装置５は、５０００万円を越える預託にも応じることが可能な大規模なエスクローファームであるＵ銀行エスクローサービスに対して預託移転依頼通知を送信している。
これを受けて、Ｕ銀行エスクローサービスは５０００万円の預託の移転に応じる旨の預託移転応諾通知を返送する（Ｓ１９０３）。
こうして、移転先のエスクローファームが指定されると、エスクロー取引取次装置５は、エスクロー受付番号を発行し、このエスクロー受付番号と発注番号、受注番号とを関連付けてエスクローファームとエスクロー口座の登録を行う（Ｓ１９０４）。
こうしてエスクローファームとエスクロー口座が登録されると、エスクロー取引取次装置５は、エスクロー受付番号を含むエスクロー取引の確認通知を電子メールなどによって、バイヤのバイヤ端末３とサプライヤのサプライヤ端末４に送信し（Ｓ１９０５）、これを受けてサプライヤはエスクロー受付番号を指定してバイヤへエスクロー取引の確認を行って（ＳＴ９０６）、確認できればエスクロー取引の登録処理が終了する。
このように、大規模のエスクローファームへ預託の移転を行うことによって、小規模のエスクローファームでは限度額を越えてしまうために処理することのできなかったエスクロー取引を処理することが可能になった。
次に、図２０のフローチャートに基づいて本実施形態に係るエスクロー取引取次装置５によるエスクロー取引の取次処理について説明する。
図１５及び図１７で示したエスクロー取引の登録処理によって、エスクロー取引が登録されると、次にバイヤとサプライヤとの間で検収条件の調整が行われる（Ｓ２００１）。この検収条件の調整では、バイヤとサプライヤがそれぞれ受渡箇所、受渡箇所名、受渡年月日（自、至）、検収箇所、検収箇所名、検収予定年月日、受渡方法（持ち込み渡し、据え付け渡し等）、検収方法（一括、分割等）、保証年数（瑕疵担保責任期間）などの検収条件を入力し、両者の間で調整が行われて決定される。
そして、バイヤとサプライヤの両方から検収条件に合意したことが入力されると（Ｓ２００２、Ｓ２００３）、エスクロー取引取次装置５はエスクロー取引番号を発行し、このエスクロー取引番号とエスクロー受付番号とが記載されたエスクロー取引開始通知をバイヤとサプライヤにそれぞれ電子メールなどによって送信する（Ｓ２００４）。
この取引開始通知を受信したバイヤは、商品を購入するための購入代金の預託を決定してエスクロー代金の送金指示を入力する（Ｓ２００５）。このとき、バイヤは預託手数料も同時に振り込むこととする。
そして、この送金指示を受信したエスクロー取引取次装置５は、総合振込データを作成してバイヤが予め指定しているバイヤ指定金融機関１１に対して、エスクローファーム指定金融機関１７への送金を指示する（Ｓ２００６）。ここで、総合振込データには、仕向銀行コード、仕向店舗コード、仕向預金種目、仕向口座番号、振込番号、被仕向銀行コード、被仕向店舗コード、被仕向預金種目、被仕向口座番号、被仕向受取人名、振込金額、顧客コードなどの情報が含まれている。
さらに、エスクロー取引取次装置５は、バイヤに振り込み内容の確認を行わせるために、図２１に示すような振込依頼合計表を作成して電子メールなどでバイヤに通知し（Ｓ２００７）、この振込依頼合計表を受信したバイヤは振り込み内容を確認して正しければ捺印してＦＡＸなどでバイヤ指定金融機関１１に送付する（Ｓ２００８）。
そして、この振込依頼合計表とエスクロー取引取次装置５からの送金指示とを受信したバイヤ指定金融機関１１は、バイヤの口座からエスクローファーム指定金融機関１７のエスクロー口座へエスクロー代金の送金を行う（Ｓ２００９）。
こうしてエスクロー代金がエスクロー口座に入金されると、エスクローファーム指定金融機関１７は入金確認をエスクロー取引取次装置５に送信し（Ｓ２０１０）、これを受けてエスクロー取引取次装置５はバイヤへ預託代金の入金通知を電子メールなどで送信する（Ｓ２０１１）。
この入金通知を受信したバイヤは、その内容を確認して承認するか否かを判断し（Ｓ２０１２）、承認する場合にはエスクロー取引取次装置５に承認する旨の通知を返送する（Ｓ２０１３）。また、バイヤが入金通知を承認しなかった場合にはエスクロー取引取次装置５に返金依頼を送信するが（Ｓ２０１４）、この場合については後述する。
そして、バイヤからの承認通知を受信したエスクロー取引取次装置５はサプライヤへ預託代金の入金通知を電子メールなどで送信し（Ｓ２０１５）、この入金通知を受信したサプライヤは、その内容を確認して承認するか否かを判断し（Ｓ２０１６）、承認する場合には商品を納入する物流会社１８に対して商品の発送を指示する出荷指示の入力を行う（Ｓ２０１７）。この出荷指示では、各エスクロー取引番号に対して物流業者名、出荷日、送り状番号、着荷予定日などの情報が入力され、送り状番号とエスクロー取引番号とは関係付けられる。
また、ステップＳ２０１６において、承認しない場合にはバイヤに対してキャンセルを通知し（Ｓ２０１８）、これを受けてバイヤはエスクロー取引取次装置５に返金依頼を送信するが（Ｓ２０１９）、この場合については後述する。
こうして出荷指示がサプライヤから物流会社１８に入力されると、物流会社１８は集荷データの入力を行う（Ｓ２０２０）。この集荷データとしては、発注者コード、受注者コード、集荷番号、集荷年月日、注文番号、納入依頼番号、集荷箇所名、納入箇所名、受渡年月日、発注者側物品コード、品名、注文数量、（納入依頼数量）、集荷数量、単位などの情報が含まれている。
そして、物流会社１８によって商品がバイヤに納入されると、物流会社１８は着荷データの入力を行う（Ｓ２０２１）。この着荷データとしては、発注者コード、受注者コード、入荷番号、入荷年月日、注文番号、納入依頼番号、集荷箇所名、納入箇所名、受渡年月日、発注者側物品コード、品名仕様、注文数量、（納入依頼数量）、入荷数量、単位などの情報が含まれている。
さらに、商品がバイヤに納入された後に設置作業などが行われ、作業が完了したときには物流会社１８によって作業報告データが入力される（Ｓ２０２２）。この作業報告データには、それぞれの検収条件が満たされたか否かが記録されている。
ここで、上述した集荷データ、着荷データ、作業報告データはエスクロー取引取次装置５に取り込まれて、ホームページなどを介してバイヤやサプライヤに提供される。
このように、集荷データや着荷データなどの商品の配送状況に関する情報がエスクロー取引取次装置５によって提供されているので、バイヤとサプライヤは、バイヤ端末３あるいはサプライヤ端末４からエスクロー取引取次装置５にアクセスすることによって、商品の配送状況を確認することができる。
そして、商品の納品が完了すると、サプライヤからバイヤに対して検収条件に対する納品作業の実績報告が行われ（Ｓ２０２３）、バイヤでは納品された商品の検収条件の確認が行われる（Ｓ２０２４）。
そして、バイヤが検収条件を確認して承認するか否かを判断し（Ｓ２０２５）、承認する場合にはエスクロー取引取次装置５に承認する旨の通知を送信し（Ｓ２０２６）、検収条件を承認しない場合にはエスクロー取引取次装置５に返金依頼を送信するが（Ｓ２０２７）、この場合については後述する。
そして、バイヤから承認通知を受信したエスクロー取引取次装置５は、エスクローファーム指定金融機関１７へ送信するための総合振込データを生成し（Ｓ２０２８）、エスクロー取引番号を指定してエスクローファーム指定金融機関１７に対して支払い指示を送信する（Ｓ２０２９）。
また、エスクロー取引取次装置５は、エスクローファームに振り込み内容の確認を行わせるための振込依頼合計表を作成して電子メールなどでエスクローファームに通知し（Ｓ２０３０）、この振込依頼合計表を受信したエスクローファームは振り込み内容を確認して正しければ捺印してＦＡＸなどでエスクローファーム指定金融機関１７に送付する（Ｓ２０３１）。
そして、この振込依頼合計表と支払指示とを受信したエスクローファーム指定金融機関１７は、エスクロー代金をサプライヤが予め指定しているサプライヤ指定金融機関１０に送金する（Ｓ２０３２）。
そして、エスクロー取引取次装置５は、エスクローファーム指定金融機関１７の送金結果をもとに、サプライヤに支払完了通知を送信し（Ｓ２０３３）、サプライヤは図１３に示すような入金確認画面から支払が完了したことを確認して（Ｓ２０３４）、エスクロー取引取次装置５によるエスクロー取引の取次処理は終了する。
次に、図２２のフローチャートに基づいて、図２０のステップＳ２０１４、Ｓ２０１９、Ｓ２０２７において返金依頼が入力されたときのエスクロー取引の取次処理について説明する。
図２０のステップＳ２０１４、Ｓ２０１９、Ｓ２０２７の返金依頼では、バイヤによってエスクロー取引番号が指定されてエスクロー取引取次装置５に返金が依頼される。
これを受けて、エスクロー取引取次装置５はサプライヤに返金の確認をするために、返金確認通知を電子メールなどで通知する（Ｓ２２０１）。
そして、サプライヤは商品が返品されたことを確認等した後に返金を承認するか否かを判断し（Ｓ２２０２）、承認する場合にはエスクロー取引取次装置５に返金に承認する旨の通知を送信する（Ｓ２２０３）。ここで、サプライヤが長期間承認しなかった場合には、エスクロー取引取次システム２０からは切り離して特別管理に移行することになる（Ｓ２２０４）。
そして、返金に承認する旨の通知を受信したエスクロー取引取次装置５は、エスクローファーム指定金融機関１７へ送信するための総合振込データを生成し（Ｓ２２０５）、エスクロー取引番号を指定してエスクローファーム指定金融機関１７に対して返金指示を送信する（Ｓ２２０６）。
さらに、エスクロー取引取次装置５は、エスクローファームに返金内容の確認を行わせるための振込依頼合計表を作成して電子メールなどでエスクローファームに通知し（Ｓ２２０７）、この振込依頼合計表を受信したエスクローファームは振り込み内容を確認して正しければ捺印してＦＡＸなどでエスクローファーム指定金融機関１７に送付する（Ｓ２２０８）。
そして、この振込依頼合計表と返金指示とを受信したエスクローファーム指定金融機関１７は、エスクロー代金をバイヤ指定金融機関１０に返金する（Ｓ２２０９）。
そして、エスクロー代金の返金を受けたバイヤ指定金融機関１０は、エスクロー取引取次装置５及びバイヤに返金完了通知を送信し（Ｓ２２１０）、バイヤが返金が完了したことを確認して（Ｓ２２１１）、エスクロー取引取次装置５によるエスクロー取引の取次処理は終了する。
このように、本実施形態のエスクロー取引取次システム１は、バイヤが多くの金融機関の中からエスクローファームを指定することができるので、バイヤは自分の取引銀行などの希望する金融機関に対してエスクロー取引を依頼することができる。
なお、上述したエスクロー取引取次システムにおけるエスクロー取引取次装置５の各処理を実現するためのプログラムは記録媒体に保存することができ、この記録媒体をコンピュータシステムによって読み込ませることにより、前記プログラムを実行してコンピュータを制御しながら上述したエスクロー取引取次装置５の各処理を実現することができる。ここで、前記記録媒体とは、メモリ装置、磁気ディスク装置、光ディスク装置等、プログラムを記録することができるような装置が含まれる。
このような発明が本出願に係る発明の技術的範囲に属することもまた、請求の範囲の記載から明らかである。
産業上の利用可能性
以上説明したように、本発明のエスクロー取引取次システムによれば、バイヤが多くの金融機関の中からエスクローファームを指定することができるので、バイヤの希望するエスクローファームに対してエスクロー取引の取り次ぎを行うことができる。
【図面の簡単な説明】
図１は、本発明によるエスクロー取引取次システムの第１の実施形態の構成を示すブロック図である。
図２は、図１に示すエスクロー取引取次システムにおける会員情報登録処理を説明するためのフローチャートである。
図３は、図２に示す会員情報登録処理における金融機関の登録画面の一例を示す図である。
図４は、図２に示す会員情報登録処理における会員情報の表示画面の一例を示す図である。
図５は、図１に示すエスクロー取引取次システムにおけるエスクロー取引の取次処理を説明するためのフローチャートである。
図６は、図５に示すエスクロー取引取次処理における取引方法の選択画面の一例を示す図である。
図７は、図５に示すエスクロー取引取次処理における発注商品の確認画面の一例を示す図である。
図８は、図５に示すエスクロー取引取次処理におけるエスクロー銀行の選択画面の一例を示す図である。
図９は、図５に示すエスクロー取引取次処理におけるエスクロー口座の指定画面の一例を示す図である。
図１０は、図５に示すエスクロー取引取次処理におけるログイン画面の一例を示す図である。
図１１は、図５に示すエスクロー取引取次処理におけるエスクロー口座への入金確認画面の一例を示す図である。
図１２は、図１１に示すエスクロー口座への入金確認画面の発注明細を示す図である。
図１３は、図６に示すエスクロー取引取次処理におけるエスクロー口座への支払い確認画面の一例を示す図である。
図１４は、本発明によるエスクロー取引取次システムの第２の実施形態の構成を示すブロック図である。
図１５は、図１４に示すエスクロー取引取次システムにおけるエスクロー取引の登録処理を説明するためのフローチャートである。
図１６は、図１５に示すエスクロー取引の登録処理におけるエスクローファームの選択画面の一例を示す図である。
図１７は、図１４に示すエスクロー取引取次システムにおけるエスクロー取引の登録処理を説明するためのフローチャートである。
図１８は、複数のエスクローファームによって共同で預託を受ける場合の処理を説明するためのフローチャートである。
図１９は、小規模のエスクローファームから大規模のエスクローファームへ預託金額を移転する場合の処理を説明するためのフローチャートである。
図２０は、図１４に示すエスクロー取引取次システムにおけるエスクロー取引の取次処理を説明するためのフローチャートである。
図２１は、図２０に示すエスクロー取引の取次処理における振込依頼合計票の一例を示す図である。
図２２は、図２０に示すエスクロー取引の取次処理において、返金依頼が入力されたときのエスクロー取引の取次処理を説明するためのフローチャートである。
【図１】
2002023419.tif 000003
【図２】
2002023419.tif 000004
【図３】
2002023419.tif 000005
【図４】
2002023419.tif 000006
【図５】
2002023419.tif 000007
【図６】
2002023419.tif 000008
【図７】
2002023419.tif 000009
【図８】
2002023419.tif 000010
【図９】
2002023419.tif 000011
【図１０】
2002023419.tif 000012
【図１１】
2002023419.tif 000013
【図１２】
2002023419.tif 000014
【図１３】
2002023419.tif 000015
【図１４】
2002023419.tif 000016
【図１５】
2002023419.tif 000017
【図１６】
2002023419.tif 000018
【図１７】
2002023419.tif 000019
【図１８】
2002023419.tif 000020
【図１９】
2002023419.tif 000021
【図２０】
2002023419.tif 000022
【図２１】
2002023419.tif 000023
【図２２】
2002023419.tif 000024
【国際調査報告】
2002023419.tif 000025
2002023419.tif 000026
2002023419.tif 000027